(57)【特許請求の範囲】
【請求項１】
上ローラと下ローラを回転可能に取付けの右側柱体と左側柱体をベース板に立設し、前記上ローラと下ローラの間に張架した揚送ベルトの上昇面に対向して研磨材を装備する遊技球の昇降式研磨装置であって、
前記揚送ベルトに対向して取付けの全てのカバー体を右側柱体と左側柱体に装脱着可能に形成すると共に上ローラカバー体も装脱着可能とし、
誘導部材を取付けの支持体を前記ベース板から装脱着可能とし、
前記揚送ベルトを下ローラとベース板から取出し可能にするために隙間を有して右ベース板と左ベース板とに分割形成し、
前記右側柱体と左側柱体を右ベース板と左ベース板に各々立設することを特徴とする遊技球の昇降式研磨装置。
【発明の詳細な説明】
【０００１】
【産業上の利用分野】
本発明はパチンコ遊技場において、多数設置された遊技機から排出される遊技球を集合し、遊技機の上部に設けられた景品球タンクに連結する補給経路に揚送しながら遊技球を研磨する昇降式研磨装置である。
【０００２】
【従来の技術】
図８は、複数台の遊技機（例えば、パチンコ機）４９が配置してある設置設備（通称、島）の全体を示す図であり、島の中央部には、各遊技機４９等から排出の遊技球を開閉機構５４を介して受入れ、遊技球を上昇させながら研磨する研磨装置１００が、開閉扉（図示略）を介して収納してあり、その研磨装置１００の上部から排出された遊技球は上貯留タンク５１に収納される。
そして、その遊技球は、補給樋５２から受口具５３を介して各遊技機４９に設置の計数器（図示略）に分配する。
尚、上貯留タンク５１には、遊技球の貯留上限で研磨装置１００を停止するリミットスイッチ５１ａ、遊技球を研磨装置１００へ供給停止をなす開閉機構５４ａ、５４ｂ操作用のリミットスイッチ５１ｂ、管理表示盤（図示略）に管理状況を表示するリミットスイッチ５１ｃが取り付けてある。
【０００３】
又、各遊技機４９から排出の遊技球は、アウトタンク５５、アウト樋５６を介して、傾斜底板を有する後方貯留タンク５７、前方貯留タンク５８に一旦貯留された後に、前記開閉機構５４ａを介して研磨装置１００に流入する。
前記上貯留タンク５１のオーバーフローする遊技球は、中貯留タンク５９に流入し、その中貯留タンク５９には仕切板が設けてあって、オーバーフローの遊技球は前方貯留タンク５８に、その他の遊技球は中樋５９ａ、５９ｂを介して後方貯留タンク５７に流入する。
又、島の端部には景品球カウンタ６０が設置してあり、景品球カウンタ６０から排出の多量の遊技球は、景品貯留タンク６１に収納された後、リフター６２を介して後方貯留タンク５７、前方貯留タンク５８に一旦貯留された後に、前記開閉機構５４ｂを介して研磨装置１００に流入する。
【０００４】
尚、前記昇降式研磨装置１００の概略について図９を参照して説明すると、ボルト１１０で床面の所定位置に固定のベース板１０３には、右側柱体１０４ａと左側柱体１０４ｂが立設してあって、それらの右側柱体１０４ａと左側柱体１０４ｂには上ローラ１０５と下ローラ１０６及びガイドローラ１０７が回転可能に取付けてあると共に前記両ローラ１０５、１０６間には、両面平坦な揚送ベルト１０１が張架されている。一方、表開閉カバー体１０２には研磨材１０９が取り付けてある。
そして、供給口（下ローラ１０６の下部）から投入の遊技球は、揚送ベルト１０１と研磨材１０９とで挟着されながら上昇し、頂部排出口から研磨された状態で排出される。
【０００５】
【発明が解決しようとする課題】
前記構成の研磨装置においては、主として下記の課題がある。
（１）研磨装置１００はボルト１１０を介して床面に設置されている。そのため、点検時にはボルトを外して収納位置から通路に運んで作業を行うので煩わしく、容易に島外に取出すと共に再設置を可能とする構造が望まれている。
（２）研磨装置１００において、遊技球は揚送ベルトを介して上昇して行くが、表開閉カバー体１０２によって内部が見えない。従って、研磨状態の管理が困難であることに鑑みての改良が望まれている。
（３）又、揚送ベルト１０１の取り替えの際には、右側柱体１０４ａ（又は左側柱体１０４ｂ）をベース板１０３から取り外すことを要し、作業が大変であることに鑑みて、簡便な取り替え方が望まれている。
そこで、本発明は、かかる種々の課題を解消する遊技球の昇降式研磨装置を提供するものである。
【０００６】
【課題を解決するための手段】
請求項１の遊技球の昇降式研磨装置は、上ローラと下ローラを回転可能に取付けの右側柱体と左側柱体をベース板に立設し、前記上ローラと下ローラの間に張架した揚送ベルトの上昇面に対向して研磨材を装備してある。
また、揚送ベルトに対向して取付けの全てのカバー体は、右側柱体と左側柱体に装脱着可能に形成してある。又、上ローラカバー体は装脱着可能である。又、誘導部材を取付けの支持体は前記ベース板から装脱着可能である。
そして、前記揚送ベルトを下ローラとベース板から取出し可能にするために隙間を有して右ベース板と左ベース板とに分割形成し、前記右側柱体と左側柱体を右ベース板と左ベース板に各々立設する。
そこで、揚送ベルトを取り外すには、全てのカバー体を開状態とすると共に上ローラカバー体と支持体を開状態（又は取り外す）にする。そして、揚送ベルトは上ローラ、下ローラから取り外すことができ、且つ、昇降式研磨装置を傾斜することによって、容易にベース板の隙間から取り出すことができるし、装着することができる。
【００１３】
【発明の実施の形態】
本発明の遊技球の昇降式研磨装置１について、表開閉カバー体２（２Ａ、２Ｂ、２Ｃ）を開状態の全体斜視を示す図１、正面断面を示す図２、Ａ〜Ａ矢視断面等を示す図３、Ｂ〜Ｂ矢視断面を示す図４、覗き窓３０の構造を示す図５、上ローラカバー体４０の構成を示す図６を参照して説明する。
【００１４】
昇降式研磨装置１の設置方法について図１を参照して説明すると、揚送ベルト（ウレタンゴム製）１０面に対して直角方向に隙間９ｃを形成する分割したベース板９（９ａ、９ｂ）の両側には、昇降式研磨装置１を設置する床面の設置位置（島の中央部）に合わせてスライドレール１７が固定してあると共に、位置決め体１７ａが前記スライドレール１７の先端部に横設してある。
又、スライドレール１７に垂設のボルト１８ｂには、Ｌ字型の固定具１８が回動可能に挿入してあって、固定具１８のＬ字の端をベース板９ａ、９ｂに当ててナット（又は蝶ナット）１８ａで締め付けてベース板９ａ、９ｂを固定する。
【００１５】
次に、昇降式研磨装置１を点検したり、研磨材１４を取り替える時の操作について説明すると、先ず、固定具１８を締めつけてあるナット１８ａを緩めた後に、固定具１８を少し上に持ち上げて、図１（Ａ）に示すように、ベース板９ａ（９ｂ）から外れる位置まで回動すると、ベース板９ａ（９ｂ）は固定具１８から開放状態となる。
そして、昇降式研磨装置１のベース板９（９ａ、９ｂ）を通路側にスライドレール１７に摺動して取り出すことによって、昇降式研磨装置１は通路に出すことができて点検等が可能となる。
【００１６】
反対に、昇降式研磨装置１を収納するときには、前記と逆に、ベース板９（９ａ、９ｂ）をスライドレール１７に摺動して位置決め体１７ａに当たるまで押し込む。そして、固定具１８をベース板９ａ（９ｂ）側に廻して、ナット１８ａで締め付けると、固定具１８のＬ字の端部がベース板９ａ（９ｂ）を押えつけて固定する（図１（Ｂ））。
以上のように、従来（図９）では、ベース板１０３を床面にボルトネジ１１０で固定しているのに比べて、簡便に取出しができるし、位置決めが容易である。  尚、前記昇降式研磨装置１の固定方法は、ベース板９を分割する必要はなく、１枚のベース板９にも適用できることはいうまでもない。
尚、他の固定方法として、図１（Ｃ）に示すように、固定具１８にスライドレール１７の短手方向に長孔１９を形成し、固定具１８をその長孔１９にスライドさせて、ナット１８ａを介して固定する方法も採用できる。
【００１７】
昇降式研磨装置１のベース板９は、前記したように、分割したベース板９ａ、９ｂで構成し、右側柱体４ａと左側柱体４ｂは右ベース板９ａと左ベース板９ｂに各々立設する。そして、それらの右側柱体４ａと左側柱体４ｂには上ローラ５と下ローラ６が回転可能に取付けてある。
又、それらの両ローラ５、６間には、両面平坦な揚送ベルト１０が張架されていて、適宜の間隔でガイドローラ７を配置して電動機１１を介して回転する。又、前記揚送ベルト１０は、往復動する調整ローラ８と調整器（ボルト等で構成）８ａを介して張力調整される。
【００１８】
尚、揚送ベルト１０の蛇行（横揺れ）を阻止するために、前記ガイドローラ７には揚送ベルト１０の幅とほぼ同寸法のガイド溝７ｂを突設部７ａを介して形成してあると共に下ローラ６（上ローラ５）にも突設部６ａを介してガイド溝６ｂを形成してある。
又、上ローラ５にも前記下ローラ６と同様に、揚送ベルト１０の幅とほぼ同寸法のガイド溝５ｂが、突設部５ａを介して形成してある（図７参照）。
そして、入口２２から供給される遊技球Ｙは、後述の研磨材１４と揚送ベルト１０に挟まれ、研磨されながら上昇して出口２４から排出されて上貯留タンク５１に収納される。
【００１９】
前記揚送ベルト１０の上昇面に対応して、例えば、複数の３個で構成の断面コ字状の表開閉カバー体２（２Ａ、２Ｂ、２Ｃ）が、図３に示すように、ヒンジ２ａを介して簡便に開閉可能に取り付けてあり、フック２ｂで閉成固定可能としてある。又、各表開閉カバー体２（２Ａ、２Ｂ、２Ｃ）には研磨材１４が装着してあり、各表開閉カバー体２（２Ａ、２Ｂ、２Ｃ）を開けて各セクションの研磨材１４を容易に観察することができると共に、各セクション毎に研磨材１４を短く製作すれば良いため、取り替える研磨材１４の節約になって経済性に富む。
尚、最下段の表開閉カバー体２Ａの高さＨは、踏台を使用しなくても後述の研磨材１４の取り替えが可能な高さ（１．８Ｍ以下）とすることによって、容易に後述する研磨材１４の取り替えを可能であるし、表開閉カバー体２を複数個（例えば、前記した３個の表開閉カバー体２Ａ、２Ｂ、２Ｃ）で構成することによって、後述の研磨材１４の取り替えが容易になると共に、取り替える研磨材１４を短く形成できて経済的である。
一方、平板状の裏開閉カバー体３（３Ａ、３Ｂ、３Ｃ）も３分割で構成し、揚送ベルト１０の下降面に対応してヒンジ３ａを介して開閉可能に取り付けてあり、フック３ｂで閉成固定する（図３参照）。
【００２０】
表開閉カバー体２の内側には、図２のＡ〜Ａ矢視断面を示す図３に示すように、ポリエステル繊維等で構成の柔軟性を有する研磨材１４が内装してある。
又、最下段の表開閉カバー体２Ａに装着の研磨材１４は、表開閉カバー体２Ｂ、２Ｃのように平坦に貼着してもよいが、研磨材１４の端部は表開閉カバー体２Ａの下部で（マジックテープ等を介して貼着する一方、他端部は表開閉カバー体２Ａの頂部２ｘで裏側から表側に折り曲げて、マジックテープ等を介して貼着して容易に取り替えを可能としてある。
即ち、最下段の表開閉カバー体２Ａに取付けの研磨材１４は、所定期間（例えば、一日）毎に取り替えるため、最下段の表開閉カバー体２Ａを前記のように構成して、作業の簡素化を図る。
【００２１】
下ローラ６は、軸受け６ｅを介して取付けのローラ軸６ｄに固定してあり、揚送ベルト１０の幅に合致するように両端に突設部６ａでもってガイド溝６ｂを形成し、揚送ベルト１０の蛇行（横揺れ）を阻止する。
又、下ローラ６周辺に位置する遊技球の入口には、下ローラ６に沿う形状の研磨布１２ａと弾性体（ゴム、バネ等）１２ｂ及び剛体１２ｃで構成の誘導部材１２がベース板９にナット１３ａで固定の支持体１３を介して取り付けてある。
そのため、誘導部材１２は、支持体１３を介して簡便に装脱着可能であるし、遊技球は、前記誘導部材１２の弾性体１２ｂ等により重なりを避けて円滑な受入が可能である。
【００２２】
前記表開閉カバー体２Ｂには覗き窓３０が設けてあり、この覗き窓３０の構造を、図５に示す側面断面図とＤ〜Ｄ断面図（正面断面図）を参照して説明する。
窓枠体３１は角筒状で揚送ベルト１０側には窓材（アクリル等の透明樹脂板等）３２のリブ３１ａが形成してある一方、表開閉カバー体２Ｂに取付け用のリブ３１ｂが形成してある。
そして、窓材３２はビス３３ａを介してリブ３１ａに、一方、窓枠体３１はリブ３１ｂを介して表開閉カバー体２Ｂにビス３３ｂで固定する。
この覗き窓３０は、遊技球Ｙが揚送ベルト１０と後述の研磨材１４とで上昇される様子を窓材３２を通してみることができて、運転状況の監視が容易である。
尚、遊技球Ｙは、窓材３２と揚送ベルト１０で挟着されるが、遊技球Ｙは傷つくことなく且つ滑ることなく円滑に搬送される。
【００２３】
次に、上ローラ５を覆う上ローラカバー体４０について図６を参照して説明すると、上ローラカバー体４０は右側柱体４ａと左側柱体４ｂを介して取付けてある。
又、上ローラカバー体４０の傾斜面（揚送ベルト１０の上昇側）には、段差４１が形成してあって、その段差４１には窓材（アクリル等の透明樹脂板等）４２、及び固定枠体４３を各々取り付ける。
この上ローラカバー体４０に付設の窓材４２によって、揚送ベルト１０を介して上昇する遊技球を観察することができ、運転状況の把握が容易である。
又、表開閉カバー体２Ｂ、２Ｃに装着の研磨材１４、１４は隙間を形成するため、研磨材の端部４６ｂ、４６ｃには他の研磨材１４より硬く形成する（例えば、厚布で縫う）ことにより、研磨材の端部４６ｂ、４６ｃは遊技球Ｙが通過してもへこまずに円滑な移動を可能とする（図６（Ａ）参照）。
【００２４】
次に、揚送ベルト１０の簡便な取外しと装着について、図７を参照して説明する。
先ず、揚送ベルト１０を取り替えるときには、上ローラカバー体４０と支持体１３を取外し、そして、全てのカバー体（開閉カバー体２と裏開閉カバー体３）を開状態とする。
そして、調整ローラ８を介して揚送ベルト１０を緩め、揚送ベルト１０を上ローラ５、ガイドローラ７から離脱させ、昇降式研磨装置１を傾斜させて、床面との間に隙間を作って、揚送ベルト１０をベース板９ａ、９ｂの隙間９ｃから抜き取る。尚、揚送ベルト１０を装着するときには、前記と逆の作業を行う。
【００２５】
以上のように、ベース板９を分割して隙間９ｃを形成しておくと共に、表開閉カバー体２と裏開閉カバー体３を開閉可能とすることによって、揚送ベルト１０は容易に取外しと装着が可能となる。
尚、表開閉カバー体２と裏開閉カバー体３の開閉をヒンジ等を介して着脱可能とすると、更に、簡便に作業ができる。
【００２６】
【発明の効果】
請求項１の遊技球の昇降式研磨装置は、ベース板を２分割とすることによって、揚送ベルトの取り替え作業を簡便にする。
【図面の簡単な説明】
【図１】遊技球の昇降式研磨装置の表開閉カバー体を開状態とした全体斜視図である。
【図２】遊技球の昇降式研磨装置の正面断面図である。
【図３】図２のＡ〜Ａ断面を示す図である。
【図４】図２のＢ〜Ｂ断面図である。
【図５】覗き窓の側面断面図とＤ〜Ｄ断面図である。
【図６】上ローラカバー体を示す斜視図である。
【図７】揚送ベルトの取り替え時の操作を示す図である。
【図８】従来の島の全体を示す図である。
【図９】従来の遊技球の昇降式研磨装置の表開閉カバー体を開状態とした全体斜視図である。
【符号の説明】
１  昇降式研磨装置
２（２Ａ、２Ｂ、２Ｃ）  表開閉カバー
３（３Ａ、３Ｂ、３Ｃ）  裏開閉カバー
４ａ  右側柱体
４ｂ  左側柱体
５  上ローラ
６  下ローラ
９（９ａ、９ｂ）  ベース板
１０  揚送ベルト
１２ａ  研磨布
１２ｂ  弾性体
１２ｃ  剛体
１３  支持体
１４  研磨材
１７  スライドレール
１７ａ  位置決め体
１８  固定具
４０  上ローラカバー体
【図１】
0004063351.tif 000002
【図２】
0004063351.tif 000003
【図３】
0004063351.tif 000004
【図４】
0004063351.tif 000005
【図５】
0004063351.tif 000006
【図６】
0004063351.tif 000007
【図７】
0004063351.tif 000008
【図８】
0004063351.tif 000009
【図９】
0004063351.tif 000010